(57)【要約】テレビジョン番組の視聴を制御する方法は、複数の値を有する複数の領域を備えたユーザ・プロファイル記録をメモリに記憶するステップと、複数の記憶済みのユーザ・プロファイルの記録のリストを有するユーザ・インタフェースを供給するステップと、ユーザ・コマンドに応じて、１つの記憶済みのユーザ・プロファイルの記録を要約形式でユーザ・インタフェースに表示するステップとを含んでいる。好ましくは、ユーザ・コマンドは、前記リストに含まれる１つの記憶済みのユーザ・プロファイルの記録を強調表示することを含み、その結果、強調表示された記憶済みのユーザ・プロファイルの記録の値が、ユーザ・インタフェースに要約形式で表示される。
2004529540.tif 000002
【特許請求の範囲】
【請求項１】
複数の値を有する複数の領域を備えた複数のユーザ・プロファイルの記録をメモリに記憶するステップと、
複数の記憶済みのユーザ・プロファイルの記録のリストを有するユーザ・インタフェースを供給するステップと、
ユーザ・コマンドに応じて、１つの記憶済みのユーザ・プロファイルの記録を前記ユーザ・インタフェースに要約形式で表示するステップと、
を具備するテレビジョン番組視聴管理方法。
【請求項２】
前記ユーザ・コマンドが、前記リストにおいて、１つの記憶済みのユーザ・プロファイルの記録を強調表示することを含み、その結果、強調表示された記憶済みのユーザ・プロファイルの記録の値が、前記ユーザ・インタフェースに要約形式で表示される、請求項１記載のテレビジョン番組視聴管理方法。
【請求項３】
第２のユーザ・コマンドに応じて、表示された記憶済みのユーザ・プロファイルの記録の値を編集するための第２のユーザ・インタフェースにアクセスするステップを具備する請求項１記載のテレビジョン番組視聴管理方法。
【請求項４】
前記複数の領域が、１つまたはそれ以上の親による制御領域を備える、請求項１記載のテレビジョン番組視聴管理方法。
【請求項５】
前記１つまたはそれ以上の親による制御領域が、格付け制限と、視聴時間制限と、費用制限と、ユーザ・プロファイルのロック状態と、ブロックされた視聴可能チャンネルとを含むグループから選択される、請求項４記載のテレビジョン番組視聴管理方法。
【請求項６】
前記複数の領域が、１つまたはそれ以上の個人的な設定領域を備える、請求項１記載のテレビジョン番組視聴管理方法。
【請求項７】
前記１つまたはそれ以上の個人的な設定領域が、デフォルトのガイドと、ガイドのソートと、配色と、透光性と、アニメーションと、データの読出しと、情報ヘルプとを含むグループから選択される、請求項６記載のテレビジョン番組視聴管理方法。
【請求項８】
前記ユーザ・プロファイルの記録が、前記複数の値が前記複数の領域に対応する複数の項目に隣接して表示されるフォーマットにより、前記ユーザ・インタフェースに要約形式で表示される、請求項１記載のテレビジョン番組視聴管理方法。
【請求項９】
複数のユーザ・プロファイルの記録を記憶するメモリと、
前記複数の記憶済みのユーザ・プロファイルの記録のリストと、前記複数の記憶済みのユーザ・プロファイルの記録についての現在の設定の要約とを表示するユーザ・インタフェースと、
ユーザ・コマンドを入力するための手段と、
を具備し、ユーザ・コマンドに応じて、１つの記憶済みのユーザ・プロファイルの記録についての現在の設定の要約が、前記ユーザ・インタフェースに表示される、テレビジョン番組視聴管理装置。
【請求項１０】
前記ユーザ・コマンドが、前記リストにおいて、１つの記憶済みのユーザ・プロファイルの記録を強調表示し、その結果、強調表示された記憶済みのユーザ・プロファイルの記録についての現在の設定の要約が、前記ユーザ・インタフェースに表示される、請求項９記載のテレビジョン番組視聴管理装置。
【請求項１１】
前記ユーザ・インタフェースにおいて要約された記憶済みのユーザ・プロファイルの記録を選択すると共に、選択されたユーザ・プロファイル名に対応する記憶済みのユーザ・プロファイルの記録を変更するための第２のユーザ・インタフェースにアクセスする手段を具備する請求項９記載のテレビジョン番組視聴管理装置。
【請求項１２】
前記第２のユーザ・インタフェースが、変更されたユーザ・プロファイルの記録をメモリに保存する手段を含む、請求項１１記載のテレビジョン番組視聴管理装置。
【請求項１３】
ユーザ・コマンドを受信し、記憶済みのユーザ・プロファイルの記録をメモリから取得し、対応する表示情報を要約形式で生成し、記憶済みのユーザ・プロファイルの記録に対するユーザ変更を受信して実行し、変更されたユーザ・プロファイルをメモリに記憶する処理手段を具備する請求項９記載のテレビジョン番組視聴管理装置。
【発明の詳細な説明】
【技術分野】
【０００１】
本発明は、一般に、ペアレンタル（パレンタル）・コントロール（ｐａｒｅｎｔａｌ  ｃｏｎｔｒｏｌ）と呼ばれる、親や保護者によるテレビジョン管理システムの分野に関し、特に、それに関連するユーザ・プロファイルを編集し、作成し、表示することに関する。
【背景技術】
【０００２】
ケーブル・テレビジョンや、直接衛星システムや、その他のテレビジョン番組報送システムの出現により、テレビジョン視聴者は、それらから多数の番組を選択することができる。これらの番組の多くは、その内容（ｃｏｎｔｅｎｔ）や、暴力性（ｖｉｏｌｅｎｃｅ）や、言葉遣い（ｌａｎｇｕａｇｅ）や、裸体像（ｎｕｄｉｔｙ）等のために、若者や未成年の視聴者に相応しいものではない。そのような理由により、家族に子供や未成年の視聴者を持つ親は、これらの番組に特定の視聴者が近づけないようにすることを望むことがある。
【０００３】
親は、ある番組をブロック（阻止）することに加えて、（１）特定の視聴者が、平日や週末にどのくらいの時間テレビジョンを見せてもらえるのか、（２）特定の視聴者が、ペイ・パー・ビュー方式（見た分に応じて料金を支払う方式）の番組に、１番組当たりまたは１カ月当たりどのくらいの金額を費やすことができるのか、（３）特定の視聴者が、特定のチャンネルにアクセスするか否か、（４）平日や週末に特定の視聴者が衛星番組にアクセスすることができる時間、とを含む、子供のテレビジョンを見る習慣に関して、付加的な制限を行使することを望むことがある。親は、自分たちの子供および／または未成年の視聴者を家庭で常に見張っていることができないので、所望の管理を成し遂げるように親を援助するために高度なシステムが開発されている。
【０００４】
これらのシステムの多くは、ハードウェアや、ソフトウェアや、ダウンロードおよび保存機能を有する電子番組ガイド（ＥＰＧ：Ｅｌｅｃｔｒｏｎｉｃ  Ｐｒｏｇｒａｍ  Ｇｕｉｄｅ）システムを利用している。電子番組ガイドは、その地域の新聞やその他の印刷媒体において見られるテレビジョン番組リスト（テレビジョン番組表）に相当する対話型のオンスクリーンのガイドである。電子番組ガイドは、電子番組ガイドによりカバーされる時間枠内の各々の番組に関する異なる種類の情報を、最高２０種類まで供給することができる。代表的な電子番組ガイド・システムにおいては、電子ホスト装置が、電子番組ガイドの時間枠内のこれから放送予定のテレビジョン番組に対応するレコード（ｒｅｃｏｒｄ：記録）を記憶する。各々のレコードは、特定のこれから放送予定のテレビジョン番組に固有の番組識別データを含んでいる。番組識別データは、番組タイトル、開始時刻、終了時刻、所要時間、格付け、残存時間、内容、値段、見出し、テーマ、俳優、作家、制作スタジオ、賞、キーワード、放送日時、ディレクター、および、簡単な説明を含むことができる。それらのレコードは、時間が経過するにつれて、既に放送された番組のレコードを削除したり、電子番組ガイドの時間枠に入るこれから放送予定の番組の新たなレコードを加えることにより、周期的に更新される。
【０００５】
チャニ−（Ｃｈａｎｅｙ）氏の米国特許第５，５１５，１０６号の明細書には、電子番組ガイド・システムを実現するために必要なデータ・パケット構造が記載されている。データ・パケット構造は、番組に関するチャンネル情報（例えば、チャンネル名、呼出し符号、チャネル番号、種類等）と番組識別情報（例えば、内容、タイトル、格付け、スター、所要時間、値段等）との両方が、番組ガイド・データベース・プロバイダからテレビジョン等の受信装置に、効率的に送信されるように設計されている。
【０００６】
親による管理（ペアレンタル・コントロール）システムは、親による管理を容易にするために、しばしば、同一のハードウェア、ソフトウェア、および、記憶された電子番組ガイド・プログラムの記録を用いて電子番組ガイド・システムに組み込まれている。このようなシステムにおいては、ユーザ・プロファイル（ｕｓｅｒ  ｐｒｏｆｉｌｅ）の概念を利用することにより、親による管理が可能となる。ユーザ・プロファイルを利用した親による管理システムにおいて、親は、特定の視聴者のためのユーザ・プロファイルを設定する。特定のユーザ・プロファイルを設定する際に、親は、そのユーザ・プロファイルに関連するユーザに対するテレビジョン視聴制限を設定する。そのユーザがテレビジョンを視聴できる範囲は、その特定のユーザのプロファイルにおいて、親により設定された制限により示される。そのようなシステムにおいて、ユーザは、テレビジョンを見るためには、設定されたユーザとして「ログオン（ｌｏｇ  ｏｎ）」しなくてはならない。そのように、様々な制限を実現するために、親による管理システムは、ある番組やチャンネルをブロックするだけでなく、そのユーザのテレビジョン視聴事実を追跡して記録するような、ユーザ・プロファイルに関連する制限を実現するようにプログラムされている。これは、現在記憶されているプログラムについて、電子番組ガイド・レコードのデータを分析するという親による管理システムの機能により、部分的に容易になる。
【０００７】
既存の親による管理システムにおいて、システム所有者（例えば、親）が、新規のプロファイルに対して可能な限り全ての制限を設定することを選択した場合、その親は、次のことを含む多くの設定を行わなくてはならない。即ち、映画観客指定（格付け）制限（ｍｏｖｉｅ  ｒａｔｉｎｇ  ｌｉｍｉｔ）、テレビジョン格付け制限（ＴＶ  ｒａｔｉｎｇ  ｌｉｍｉｔ）、ＤＳＬＶＦＶ内容についての制限を設定すること、内容について格付けされていない番組を視聴できるようにするか否かを判定すること、イベントごとの費用制限および毎月の費用制限を設定すること、週末および平日に視聴できる時間の最大値を設定すること、週末および平日に衛星番組を視聴することができる時間を設定すること、特定のチャンネル（現在、２００以上のチャンネルがある）へのアクセスをブロックするか許可するかを判定するチャンネル・リストを設定することが含まれる。
【０００８】
システム所有者は、新規のユーザ・プロファイルを作成するのに適合するユーザ・インタフェースにアクセスすることにより、新規のユーザ・プロファイルを作成する。一般的に、新規のユーザ・プロファイルを作成するためのユーザ・インタフェースは、複数のユーザ設定ボタンを含んでいる。ユーザ設定ボタンを選択すると直ぐに、そのユーザ設定ボタンに対応する画面が、ユーザ・インタフェース上に表示される。各々のユーザ設定ボタンは、それに関連する別々の画面を備えている。各々の画面は、先に述べた視聴制限（ｖｉｅｗｉｎｇ  ｌｉｍｉｔａｔｉｏｎ）の内の１つに対応するデータ入力のための領域（ｆｉｅｌｄ：フィールド）を、１つ以上有している。その領域に変数を入力することにより、システム所有者は、それらの領域に関連する視聴制限を設定する。一旦、システム所有者が、所望の制限画面にアクセスし、所望のデータ領域に値を入れてしまうと、その所有者は、そのユーザ・プロファイルをローカルな不揮発性メモリに保存することができる。
【発明の開示】
【０００９】
（発明の概要）
しかし、システム所有者は、その後で、記憶済みのユーザ・プロファイルにおいて定められている設定の内の幾つか、または、全てを変更したくなる場合がある。もし、システム所有者が、記憶済みのユーザ・プロファイルにおいて定められている設定の何れかを変更したいと判断した場合には、システム所有者は、記憶済みのユーザ・プロファイルを編集するのに適合したユーザ・インタフェースにアクセスする。このインタフェースは、記憶済みのユーザ・プロファイルの内の１つに各々が対応しているユーザ名のリストを有している。特定のユーザの設定を変更する必要があるか否かを判断するために、システム所有者は、その特定のユーザ・プロファイルに対する現在の設定がどのようなものであるかを知る必要がある。しかし、既存の親による管理システムにおいては、システム所有者が記憶済みのユーザ・プロファイルの設定を見ることができるようにするためには、先に述べたように、そのユーザ・プロファイルに対応する名前を選択し、そのプロファイルに関連する制限画面ごとにアクセスするしかない。このように、特定の設定を変更する必要があるか否かを判定するために、システム所有者は、各々の制限画面にアクセスする際に、かなりの時間を費やさなければならない。更に、このことは、制限画面にアクセスするシステム所有者にとって、しばしば、画面を変更する必要がない範囲において現在の設定を見出すだけという結果に終わる。このことは、システム所有者にとって、時間と労力の無駄となる。
【００１０】
加えて、ユーザ・プロファイルは、例えば、使用されるデフォルトのガイドの識別や、そのガイドがどのようにソート（並び替え）されるかということや、色の設定や、透光性（ｔｒａｎｓｌｕｃｅｎｃｙ）の設定や、アニメーションの設定や、フェッチ（ｆｅｔｃｈ：命令またはデータをメモリから読み出してレジスタに転送する動作）の設定や、「ヘルプ」情報が使用可能か否かといった、ユーザのための個人的な設定も記憶している。これらのユーザ・プロファイルの属性は、親による管理の設定と同様の方法で、作成され、編集される。そのような理由により、個人的な設定を編集することに関しても、親による管理の設定条件を編集する際と同様の時間浪費の問題が存在する。従って、記憶済みのユーザ・プロファイル（親による管理の設定および個人的な設定を含む）についての設定を速やかにチェックできるようにする必要がある。
【００１１】
これらの問題およびその他の問題は、本発明により解決される。本発明の１つの観点に係るテレビジョン番組視聴管理方法は、複数の値を有する複数の領域を備えた複数のユーザ・プロファイルの記録をメモリに記憶するステップと、複数の記憶済みのユーザ・プロファイルの記録のリストを有するユーザ・インタフェースを供給するステップと、ユーザ・コマンドに応じて、１つの記憶済みのユーザ・プロファイルの記録をユーザ・インタフェースに要約形式で表示するステップとを具備する。
【００１２】
好ましくは、ユーザ・コマンドが、前記リストにおいて、１つの記憶済みのユーザ・プロファイルの記録を強調表示し、その結果、強調表示された記憶済みのユーザ・プロファイルの記録の値が、ユーザ・インタフェースに要約形式で表示される。
【００１３】
また、好ましくは、前記方法が、第２のユーザ・コマンドに応じて、表示された記憶済みのユーザ・プロファイルの記録の値を編集するための第２のユーザ・インタフェースにアクセスするステップを更に具備する。
【００１４】
前記複数の領域は、１つまたはそれ以上の親による制御領域であってもよい。好ましくは、１つまたはそれ以上の親による制御領域が、格付け制限と、視聴時間制限と、費用制限と、ユーザ・プロファイルのロック状態と、ブロックされたチャンネルとを含むグループから選択される。また、前記複数の領域は、１つまたはそれ以上の個人的な設定領域であってもよい。好ましくは、１つまたはそれ以上の個人的な設定領域が、デフォルトのガイドと、ガイドのソートと、配色（ｃｏｌｏｒ  ｓｃｈｅｍｅ：カラー・スキーム）と、透光性と、アニメーションと、フェッチ（データの読出し）と、情報ヘルプとを含むグループから選択されてもよい。
【００１５】
好ましくは、前記ユーザ・プロファイルの記録が、複数の値がそれらの領域に対応する項目に隣接して表示されるフォーマット（形式）により、ユーザ・インタフェースに要約形式で表示される。
【００１６】
本発明のもう１つの観点に係るテレビジョン番組視聴管理装置は、複数のユーザ・プロファイルの記録を記憶するメモリと、複数の記憶済みのユーザ・プロファイルの記録のリストと、複数の記憶済みのユーザ・プロファイルの記録についての現在の設定の要約とを表示するユーザ・インタフェースと、ユーザ・コマンドを入力するための手段とを具備し、ユーザ・コマンドに基づいて、１つの記憶済みのユーザ・プロファイルの記録についての現在の設定の要約をユーザ・インタフェースに表示する。
【００１７】
好ましくは、ユーザ・コマンドが、前記リストにおいて、１つの記憶済みのユーザ・プロファイルの記録を強調表示し、その結果、強調表示された記憶済みのユーザ・プロファイルの記録についての現在の設定の要約が、ユーザ・インタフェースに表示される。
【００１８】
また、好ましくは、前記装置が、ユーザ・インタフェースにおいて要約された記憶済みのユーザ・プロファイルの記録を選択すると共に、選択されたユーザ・プロファイル名に対応する記憶済みのユーザ・プロファイルの記録を変更するための第２のユーザ・インタフェースにアクセスする手段を更に具備する。このような実施形態においては、第２のユーザ・インタフェースが、変更されたユーザ・プロファイルをメモリに保存する手段を具備することが望ましい。
【００１９】
最後に、前記装置が、ユーザ・コマンドを受信し、記憶済みのユーザ・プロファイルの記録をメモリから取得し、対応する表示情報を要約形式で生成し、記憶済みのユーザ・プロファイルの記録に対するユーザ変更を受信して実行し、変更されたユーザ・プロファイルをメモリに記憶する処理手段を更に具備することが望ましい。
【発明を実施するための最良の形態】
【００２０】
以下、添付の図面を参照して本発明を詳細に説明する。
本発明を理解するためには、システム所有者が、どのようにユーザ・プロファイルを作成して編集するかについて詳しい説明が必要である。
図５は、表示領域１８を備えた表示モジュール１１を示しており、表示領域１８は、そこで表示されるユーザ・インタフェース５００を備えている。表示モジュール１１は、不揮発性メモリと、マイクロプロセッサと、付随する入力コマンド・モジュールとを備えた電子ホスト装置（図示せず）に接続されている。ユーザ・インタフェース５００は、新規のユーザ・プロファイルを作成したり、不揮発性メモリに記録（ｒｅｃｏｒｄ：レコード）として保存されている設定されたユーザ・プロファイルを編集するために用いられるのに適合している。
【００２１】
ユーザ・インタフェース５００は、名前ボタン５０１と、コピー設定ボタン５０２と、チャンネル・リスト・ボタン５０３と、格付け制限ボタン５０４と、視聴時間ボタン５０５と、費用制限ボタン５０６と、ロック・ユーザ・ボタン５０７とを備えている。ユーザ・インタフェース５００は、制御領域５０８を更に備えている。システム所有者が、ボタン５０１〜５０７の何れかを強調表示する場合において、制御領域５０８には強調表示されたボタンに対応する画面が現れる。各々の画面は、システム所有者により入力される値を受け取るのに適合した領域を備えている。システム所有者により前記領域に入力される値は、ユーザ識別子と、映画観客指定制限と、テレビジョン格付け制限と、内容について格付けされていない番組の視聴を許可するか否かと、イベントごとの費用制限および毎月の費用制限と、週末および平日に視聴することができる時間の最大値と、週末および平日に衛星番組を視聴することができる時間と、特定のチャンネルへのアクセスをブロックするか許可するかを判定するチャンネル・リストと、プロファイルをロックするか否かということを含む、作成されたプロファイルのための様々な設定または制限を表している。
【００２２】
システム所有者は、前記複数の領域に複数の値を入力し終えると、それらの値または設定をユーザ・プロファイルの記録として不揮発性メモリに保存することができる。保存されたユーザ・プロファイルの記録は、設定可能な視聴制限に対応する複数の領域を含んでいる。各々の領域の範囲内には、ユーザ・インタフェース５００と対話操作している間にシステム所有者により入力された関連値が含まれる。
【００２３】
一旦、前記ユーザ・プロファイルの記録が不揮発性メモリに記憶されると、そのユーザ・プロファイルに関連するユーザとしてテレビジョン・システムにログオンするユーザは、その中で設定された制限により制限される。しかし、システム所有者が、ユーザ・プロファイルにおいて設定された視聴制限の幾つかを変更または編集したいときは、後からそれを決定することが可能である。
【００２４】
図４は、従来の技術に係るインタフェースであって、従来技術の方法に従って、編集すべき設定済みのユーザ・プロファイルを選択するインタフェースを示している。表示モジュール１１は、ユーザ・インタフェース４００を有する表示領域１８を備えている。システム所有者は、現在設定されているユーザ・プロファイルを編集するためのオプションを起動させることにより、ユーザ・インタフェース４００にアクセスする（例えば、異なるユーザ・インタフェースの選択を行うか、または、入力コマンド・モジュール上のボタンを押すことにより、オプションが起動する）。ユーザ・インタフェース４００は、ユーザ・プロファイル編集セル４０１〜４０５を含んでいる。各々のユーザ・プロファイル編集セル４０１〜４０５は、予め作成されたユーザ・プロファイルであって、前に述べたように、保存されて不揮発性メモリに記録として保存されているユーザ・プロファイルの名前を含んでいる。このように、ユーザ・プロファイル編集セル４０１〜４０５は、システム所有者により予め作成された全ての記憶済みのユーザ・プロファイルの記録のリストを効果的に作成する。
【００２５】
システム所有者が、特定のユーザ・プロファイルの設定を変更したいと思った場合には、そのシステム所有者は、その記憶済みのユーザ・プロファイルに対応するユーザ・プロファイル編集セル４０１〜４０５を強調表示させて選択する。特定のセル４０１〜４０５が選択されると直ぐに、図５に示すユーザ・インタフェースが、表示モジュール１１に表示される。システム所有者が、図５に示すユーザ・インタフェースにアクセスするのと同時に、マイクロプロセッサは、選択されたセル４０１〜４０５に対応するユーザ・プロファイルの記録を取得し、保存された記録の値を、ボタン５０１〜５０７（図５）に対応する画面上の領域に関連付ける。これにより、システム所有者が、ボタン５０１〜５０７（図５）に関連する画面の内の１つにアクセスすると直ぐに、それらの領域は、予めシステム所有者によりそのユーザ・プロファイルのために入力された値を含んでいる。そして、それらの値は、新規のユーザ・プロファイルを作成する先に述べた手続きと同様の方法により編集され保存される。
【００２６】
しかし、図４に示す従来技術によるインタフェースを用いると、システム所有者が、その領域に入力された正確な値を確信できないことにより、ユーザ・プロファイルのある値を変更したいか否かを判断できない場合には、そのシステム所有者は、図４に示すインタフェースにアクセスして、編集すべきユーザ・プロファイルを選択し、図５のインタフェースにアクセスして、そのユーザ・プロファイルの制限を作成することに関連する各画面にアクセスしなくてはならない。システム所有者は、このような方法にのみにより、特定のユーザ・プロファイルに対する記憶済みの値（即ち、ユーザ・プロファイル設定）を閲覧することができる。このことは、システム所有者側にとって、多大な時間と労力を費やすことになる。以下に、このような問題が本発明により解決されることを詳細に説明する。
【００２７】
図１は、本発明に依る装置を示す概略図である。この装置は、ユーザ・コマンドを処理し、図５および図６に示すユーザ・インタフェース画面を表示すると共に、記憶済みの番組ガイド記録を検索することができる。この装置は、アナログＮＴＳＣ方式のテレビジョン信号およびインターネット情報を処理することができる。図１に示す装置は、無線周波数（ＲＦ）のテレビジョン信号ＲＦ−ＩＮを受信する第１入力部１１００と、ベースバンド・テレビジョン信号ＶＩＤＥＯ−ＩＮを受信する第２入力部１１０２とを有している。信号ＲＦ−ＩＮは、アンテナやケーブル・システムのような供給源（ソース）から供給され、一方、信号ＶＩＤＥＯ−ＩＮは、例えば、ビデオ・カセット・レコーダ（ＶＣＲ）から供給される。チューナ１１０５および中間周波（ＩＦ）プロセッサ１１３０は、信号ＲＦ−ＩＮに含まれている特定のテレビジョン信号を調整および復調するために、従来と同様の方法により動作する。中間周波（ＩＦ）プロセッサ１１３０は、調整されたテレビジョン信号の内で、映像番組の部分を表すベースバンド映像信号ＶＩＤＥＯを生成する。また、中間周波（ＩＦ）プロセッサ１１３０は、後続の音声処理のための音声処理部（図１には図示せず）に供給されるベースバンド音声信号を生成する。図１は、ベースバンド信号として入力１１０２を示しているが、テレビジョン受信機は、信号ＲＦ−ＩＮから、または、第２の無線周波数（ＲＦ）信号源から第２のベースバンド映像信号を生成するために、チューナ１１０５および中間周波（ＩＦ）プロセッサ１１３０と同様の第２のチューナおよび中間周波（ＩＦ）プロセッサを含んでもよい。
【００２８】
また、図１に示すシステムは、チューナ１１０５や、ピクチャー・イン・ピクチャー処理部（ピクチャー・イン・ピクチャー（ＰＩＰ）プロセッサ）１１４０や、映像信号プロセッサ１１５５や、スターサイト（ＳＴＡＲＳＩＧＨＴ（商標））データ処理モジュール（スターサイト・モジュール）１１６０のようなテレビジョン受信機の構成部分を制御するための主マイクロプロセッサ（ＭＰ）（コントローラ）１１１０を含んでいる。ここで使用されている「マイクロプロセッサ（ｍｉｃｒｏｐｒｏｃｅｓｓｏｒ）」という用語は、マイクロプロセッサ、マイクロコンピュータ、マイクロコントローラ、および、コントローラを含む様々な装置を表しているが、それらに限定されるものではない。主マイクロプロセッサ１１１０は、周知のＩ２Ｃシリアル・データ・バス・プロトコルを利用するシリアル・データ・バスＩ２Ｃバスを介して、コマンドおよびデータの両方を送信および受信することにより、システムを制御する。より具体的には、主マイクロプロセッサ（ＭＰ）１１１０に含まれている中央演算装置（ＣＰＵ）１１１２が、例えばＩＲ（赤外線）リモート・コントロール（遠隔制御）装置１１２５およびＩＲ（赤外線）受信機１１２２を介してユーザにより与えられるコマンドに応答して、図１に示すＥＥＰＲＯＭ１１２７のようなメモリに記憶されている制御プログラムを実行する。例えば、リモート・コントロール装置１１２５において「チャンネル・アップ」機能を起動することにより、ＣＰＵ１１１２は、「チャンネル変更」コマンドを、チャンネル・データと共に、Ｉ２Ｃバスを介してチューナ１１０５に送信する。その結果、チューナ１１０５は、チャンネル走査リストにおける次のチャンネルに同調する。後述するように、本発明に関するＥＥＰＲＯＭ１１２７に記憶されている制御プログラムのもう１つの例として、図５〜図７（フロー・チャート形式）に示す動作を実行するためのソフトウェアがある。
【００２９】
また、主マイクロプロセッサ１１１０は、インターネットとの間で情報をアップロードおよびダウンロードできるようにするための通信インタフェース・ユニット１１１３の動作を制御する。通信インタフェース・ユニット１１１３は、例えば、電話線またはケーブル・テレビジョン・ラインを介してインターネット・サービス・プロバイダに接続するためのモデムを含んでいる。この通信機能により、図１に示すシステムは、テレビジョン番組を受信することに加えて、電子メール機能、および、ウェブ（Ｗｅｂ）閲覧等のインターネット関連の機能を提供することができる。
【００３０】
ＣＰＵ１１１２は、主マイクロプロセッサ（ＭＰ）１１１０内部のバス・ライン１１１９を介して、主マイクロプロセッサ（ＭＰ）１１１０に含まれている機能を制御する。特に、ＣＰＵ１１１２は、補助データ・プロセッサ（ａｕｘｉｌｉａｒｙ  ｄａｔａ  ｐｒｏｃｅｓｓｏｒ）１１１５およびオンスクリーン表示（ＯＳＤ）プロセッサ１１１７を制御する。補助データ・プロセッサ１１１５は、映像信号ＰＩＰＶから、スターサイト（ＳＴＡＲＳＩＧＨＴ（商標））データ等の補助データを抽出する。
【００３１】
既知のフォーマットで番組ガイド・データ情報を供給するスターサイト・データは、典型的には、特定のテレビジョン・チャンネルのみにおいて受信されるので、テレビジョン受信機は、スターサイト・データを抽出するために、そのチャンネルに同調しなくてはならない。スターサイト・データの抽出によりテレビジョン受信機の通常の使用を妨げないために、ＣＰＵ１１１２は、テレビジョン受信機が通常使用されない時間帯（例えば、午前２時）のみに、その特定のチャンネルに同調することにより、スターサイト・データの抽出を始める。その時、スターサイト・データのために用いられるライン１６のような水平ライン間隔から補助データが抽出されるように、ＣＰＵ１１１２がデコーダ１１１５を設定する。ＣＰＵ１１１２は、デコーダ１１１５からＩ２Ｃバスを経由してスターサイト・モジュール１１６０への、抽出されたスターサイト・データの転送を制御する。モジュールに内蔵されているプロセッサは、そのデータをフォーマット化して、モジュール内のメモリに記憶する。スターサイト電子番組ガイド表示の起動（例えば、ユーザが、リモート・コントロール装置１２５上で特定のキーを起動させる）に応答して、ＣＰＵ１１１２は、フォーマット化されたスターサイト電子番組ガイド表示データを、スターサイト・モジュール１１６０からＩ２Ｃバスを経由してオンスクリーン表示（ＯＳＤ）プロセッサ１１１７に転送する。
【００３２】
オンスクリーン表示（ＯＳＤ）プロセッサ１１１７は、表示装置（図示せず）に接続された場合に、後述するように図５〜図７に示すオンスクリーン表示情報を表す表示画面を生成するＲＧＢ映像信号ＯＳＤ−ＲＧＢを、従来の方法により生成する。オンスクリーン表示プロセッサ１１１７は、オンスクリーン表示を表示すべきときに、信号ＯＳＤ−ＲＧＢをシステムの映像出力信号に挿入する高速スイッチを制御するための制御信号Ｆａｓｔ−Ｓｗｉｔｃｈ（ＦＳＷ）を生成する。従って、ユーザが、後述するように本発明における様々なユーザ・インタフェース画面を使用できるようにする場合には、オンスクリーン表示プロセッサ１１１７は、予めメモリ１１２７に記憶されているかまたはプログラムされているオンスクリーン表示情報を表す対応する通信信号ＯＳＤ−ＲＧＢを生成する。例えば、ユーザが、リモート・コントロール装置１１２５上の特定のスイッチを起動することにより、電子番組ガイドを使用できるようにする場合には、ＣＰＵ１１１２がプロセッサ１１１７を使用可能にする。これに応答して、プロセッサ１１１７は、先に述べたように、予め抽出されて既にメモリに記憶されている番組ガイド・データ情報を表す信号ＯＳＤ−ＲＧＢを生成する。また、プロセッサ１１１７は、いつ電子番組ガイドが表示されるのかを示す信号ＦＳＷを生成する。
【００３３】
映像（ビデオ）信号プロセッサ（ＶＳＰ：Ｖｉｄｅｏ  Ｓｉｇｎａｌ  Ｐｒｏｃｅｓｓｏｒ）１１５５は、ルマ（ｌｕｍａ：ルミナンス、輝度）およびクロマ（ｃｈｒｏｍａ：クロミナンス）処理のような従来の映像信号処理機能を実行する。映像信号プロセッサ（ＶＳＰ）１１５５により生成された出力信号は、表示画像を生成するキネスコープ（受像管）や液晶表示装置（ＬＣＤ）等の表示装置（図１には図示せず）に供給されるのに適している。また、映像信号プロセッサ（ＶＳＰ）１１５５は、グラフィクス（図形）および／またはテキスト（文字）を前記表示画像に含めるときに、オンスクリーン表示（ＯＳＤ）プロセッサ１１１７により生成された信号を出力映像信号パス（経路）に供給するための高速スイッチを含んでいる。この高速スイッチは、テキストおよび／またはグラフィックスを表示する際に、主マイクロプロセッサ１１１０におけるオンスクリーン表示プロセッサ１１１７により生成された制御信号ＦＳＷにより制御される。
【００３４】
映像信号プロセッサ（ＶＳＰ）１１５５への入力信号は、ピクチャー・イン・ピクチャー（ＰＩＰ）プロセッサ１１４０により出力された信号ＰＩＰＶである。ユーザが、ピクチャー・イン・ピクチャー（ＰＩＰ）モードを起動させると、信号ＰＩＰＶは、小さな画像（小さい画面）が嵌め込まれた大きな画像（大きな画面）を表す。ピクチャー・イン・ピクチャー・モードが起動していない場合には、信号ＰＩＰＶは大きな画像のみを表し、即ち、信号ＰＩＰＶには小さな画像の信号が含まれない。ピクチャー・イン・ピクチャー・プロセッサ１１４０は、該プロセッサ１１４０に含まれる機能（ビデオ・スイッチ、アナログ−ディジタル変換器（ＡＤＣ）、ＲＡＭ、ディジタル−アナログ変換器（ＤＡＣ）等）を用いた従来の方法により前記機能を供給する。
【００３５】
先に述べたように、電子番組ガイド表示に含まれる表示データは、オンスクリーン表示（ＯＳＤ）プロセッサ１１１７により生成され、高速スイッチ信号ＦＳＷに応答して、映像信号プロセッサ（ＶＳＰ）１１５５により出力信号に含められる。例えば、ユーザがリモート・コントロール装置１１２５上の適当なキーを押すことにより、コントローラ（主マイクロプロセッサ）１１１０が電子番組ガイド表示の起動を検出すると、コントローラ１１１０は、オンスクリーン表示プロセッサ１１１７に、スターサイト・モジュール１１６０からの番組ガイド・データ等の情報を用いて電子番組ガイド表示を生成させる。コントローラ１１１０は、電子番組ガイドに含まれる表示を生成するために、映像信号プロセッサ１１５５に、信号ＦＳＷに応答してオンスクリーン表示プロセッサ１１１７からの電子番組ガイド表示データとビデオ画像データとを結合させる。電子番組ガイドは、表示領域の全て、または、一部のみを占めるものであってもよい。
【００３６】
電子番組ガイド表示が起動される際には、コントローラ（主マイクロプロセッサ）１１１０が、ＥＥＰＲＯＭ１１２７に記憶されている電子番組ガイド制御プログラムを実行する。その制御プログラムは、電子番組ガイド表示における位置インジケータ（例えば、カーソルおよび／または強調表示）の位置をモニタ（監視）する。ユーザは、リモート・コントロール装置１１２５の方向キーおよび選択キーを用いることにより、位置インジケータの位置を制御する。或いは、前記システムは、マウス・デバイスを含んでいてもよい。コントローラ１１１０は、マウス・ボタンをクリックする等の選択デバイスの起動を検出して、表示されている電子番組ガイド・データに関連して現在のカーソル位置情報を設定することにより、例えば、特定の番組に同調する等の所望の機能を決定する。続いて、コントローラ１１１０は、その選択された機能に関連する制御動作を起動させる。
【００３７】
本発明に依る番組ガイドの処理および表示は、ソフトウェアとハードウェアとの組み合わせを用いて実行してもよい。例えば、図１を参照すると、電子番組ガイドの表示は、ＥＥＰＲＯＭ１１２７等のメモリに保存されているソフトウェアにより実行される。例えば、ユーザが、リモート・コントロール装置１１２５上の電子番組ガイド関連のボタンを押すことにより電子番組ガイドが起動すると、ＣＰＵ１１１２は、電子番組ガイド・ソフトウェア・ルーチンを実行する。また、ＣＰＵ１１１２は、電子番組ガイド表示を生成することの一部として、スターサイト・モジュール１１６０に保存されている電子番組ガイド・データおよびグラフィックスに、Ｉ２Ｃバスを介してアクセスする。ＥＥＰＲＯＭ１１２７に記憶されている電子番組ガイド・ソフトウェア・ルーチンの制御の下で、ＣＰＵ１１１２は、オンスクリーン表示（ＯＳＤ）プロセッサ１１１７を動作可能とし、オンスクリーン表示プロセッサ１１１７は、電子番組ガイド・データおよびグラフィックスを表すオンスクリーン表示を生成するのに適した形式に電子番組ガイド・データをフォーマット化する。オンスクリーン表示プロセッサ１１１７により生成されたオンスクリーン表示データは、信号線ＯＳＤ−ＲＧＢを介して映像信号プロセッサ（ＶＳＰ）１１５５に供給される。映像信号プロセッサ１１５５内の高速スイッチは、信号ＦＳＷの制御の下で、電子番組ガイド−オンスクリーン表示データを映像信号プロセッサ１１５５の出力に供給する。即ち、ＣＰＵ１１１２により実行されているソフトウェア・ルーチンが、電子番組ガイド・データが何時表示されるか（例えば、表示のどの部分か）を判定して、高速スイッチに電子番組ガイド・データを出力に供給させるための適当な状態にＦＳＷ信号を設定する。
【００３８】
以上説明した図１に示すシステムの特徴を有する典型的な実施形態は、主マイクロプロセッサ（ＭＰ）（コントローラ）１１１０に関連する特徴を提供するためのＳＧＳ−トムソン・マイクロエレクトロニクス社製のＳＴ９２９６マイクロプロセッサと、ピクチャー・イン・ピクチャー（ＰＩＰ）プロセッサ１１４０に関連する前記の基本的なピクチャー・イン・ピクチャー（ＰＩＰ）機能を提供する三菱電機製のＭ６５６１６ピクチャー・イン・ピクチャー・プロセッサと、映像信号プロセッサ（ＶＳＰ）１１５５の機能を提供する三洋電機製のＬＡ７６１２映像信号プロセッサとを具備している。
【００３９】
図２は、本発明に依る装置のもう１つの例を示しており、この装置は、ユーザ・コマンドを処理し、図５および図６に示すユーザ・インタフェース画面を表示し、記憶済みの番組ガイドの記録を検索することができる。後述するように、図２に示す装置は、放送番組を表すＭＰＥＧエンコード（符号化）されたトランスポート・ストリームを受信するためのＭＰＥＧ互換システムである。しかし、図２に示すシステムは、単なる例示であり、本明細書中に記載されているユーザ・インタフェース・システムは、他の種類のエンコード（符号化）されたデータ・ストリームを使用する、非ＭＰＥＧ互換システムを含む他の種類のディジタル信号処理装置にも適用できる。例えば、他の装置には、ディジタル・ビデオ・ディスク（ＤＶＤ）システムや、ＭＰＥＧプログラム・ストリームや、ＰＣＴＶと呼ばれるコンピュータとテレビジョンの機能が組み合わされたシステムが含まれる。更に、後述するシステムは、放送番組を処理するものとして説明されるが、これは、単なる例示である。ここで、「番組（ｐｒｏｇｒａｍ：プログラム）」という用語は、例えば、電話メッセージや、コンピュータ・プログラムや、インターネット・データや、その他の通信のように、パケット化されたデータの形式を表すものとして用いられている。
【００４０】
概要として、図２に示す映像受信機システムにおいては、映像データで変調される搬送波は、アンテナ１０により受信され、装置１５において処理される。その結果、ディジタル出力信号は、復調器２０により復調され、デコーダ３０によりデコ―ド（復号化）される。デコーダ３０からの出力は、リモート・コントロール装置１２５からのコマンドに応答するトランスポート・システム２５により処理される。システム２５は、記憶や、後続のデコード化や、他の装置との通信のために、圧縮データ出力を供給する。
【００４１】
映像デコーダ８５および音声デコーダ８０は、表示装置に出力を供給するために、システム２５からの圧縮データをそれぞれデコ―ドする。データ・ポート７５は、システム２５からの圧縮データの通信のためのインタフェースを、例えば、コンピュータや高精細度テレビジョン（ＨＤＴＶ：Ｈｉｇｈ  Ｄｅｆｉｎｉｔｉｏｎ  Ｔｅｌｅｖｉｓｉｏｎ）受信機のような他の装置に供給する。記憶装置９０は、システム２５からの圧縮データを記憶媒体１０５に保存する。また、記憶装置９０は、再生モードにおいて、デコード化を行うシステム２５による処理や、他の装置との通信や、異なる記憶媒体（図を簡単にするため図示せず）への保存のために、記憶媒体２５からの圧縮データの読み出しをサポート（支援）する。
【００４２】
図２において、アンテナ１０により受信された映像データにより変調された搬送波は、ディジタル形式に変換され、入力プロセッサ１５により処理される。プロセッサ１５は、無線周波数（ＲＦ）チューナと、入力映像信号を後続の処理に適合する低周波数帯域にダウンコンバートする中間周波（ＩＦ）ミキサーおよび複数の増幅段とを含んでいる。その結果、ディジタル出力信号は、復調器２０により復調され、デコーダ３０によりデコ―ドされる。デコーダ３０からの出力は、更に、トランスポート・システム２５により処理される。
【００４３】
デコーダ３０からの出力、または、デコーダ３０から出力されて復号化ユニット（デスクランブル・ユニット）４０により更に処理された出力が、セレクタ３５を介して、サービス検出回路３３のマルチプレクサ（ＭＵＸ）３７に供給される。復号化ユニット４０は、例えば、ＩＳＯ７８１６やＮＲＳＳ（Ｎａｔｉｏｎａｌ  Ｒｅｎｅｗａｂｌｅ  Ｓｅｃｕｒｉｔｙ  Ｓｔａｎｄａｒｄｓ：国家再生安全規格）委員会規格に準拠したスマート・カード等の取り外し可能なユニットである（ＮＲＳＳ取り外し可能な条件アクセス・システムは、ＥＩＡ規格書ＩＳ−６７９、Ｐｒｏｊｅｃｔ  ＰＮ−３６３９に規定されている）。セレクタ３５は、挿入可能で互換性を有するデスクランブル・カードの存在を検出し、そのカードが現時点で映像受信部に挿入されている場合にのみ、ユニット４０からの出力をマルチプレクサ３７に供給する。一方、セレクタ３５は、デコーダ３０からの出力をマルチプレクサ３７に供給する。前記挿入可能なカードが存在する場合には、ユニット４０が、例えば、追加のプレミアム番組のチャンネルをデスクランブルすることにより、視聴者に追加番組を供給することが可能となる。ここで、前記の好ましい実施形態においては、ＮＲＳＳユニット４０およびスマート・カード・ユニット１３０（スマート・カード・ユニット１３０については後述する）は、ＮＲＳＳカードまたはスマート・カードの何れか一方のみが一度に挿入されるように、同じシステム２５のインタフェースを共有する。しかし、並列動作を可能とするために、それらのインタフェースを別々に設けてもよい。
【００４４】
セレクタ３５からマルチプレクサ（ＭＵＸ）３７に供給されたデータは、ＭＰＥＧシステム規格のセクション２．４において規定されているようなＭＰＥＧ対応のパケット化されたトランスポート・データ・ストリームの形式であり、番組ガイド情報と１つ以上の番組チャンネルのデータ内容とを含んでいる。特定の番組チャンネルを含む個々のパケットは、パケット識別子（ＰＩＤ）により識別される。トランスポート・ストリームは、パケット識別子を識別すると共に、パケット化されたデータ・ストリームを含む全ての番組チャンネルの内容を復元するために個々のデータ・パケットを組み立てるために用いられる番組特定情報（ＰＳＩ：Ｐｒｏｇｒａｍ  Ｓｐｅｃｉｆｉｃ  Ｉｎｆｏｒｍａｔｉｏｎ）を含んでいる。トランスポート・システム２５は、システム・コントローラ１１５の制御の下で、入力トランスポート・ストリームや、記憶装置９０や、インターネット・サービス・プロバイダから、通信インタフェース・ユニット１１６を介して、番組ガイド情報を取得して照合する。特定の番組チャンネル内容または番組ガイド情報を含む個々のパケットは、それぞれのヘッダ情報に含まれているパケット識別子により識別される。先に述べたように、番組ガイド情報に含まれている番組の説明は、タイトル、スター、格付け等の番組に関する様々な番組説明領域を含んでいる。
【００４５】
図２に示すように、映像受信機に内蔵されたユーザ・インタフェースにより、ユーザは、オンスクリーン表示（ＯＳＤ）メニューから所望の機能を選択することにより様々な機能を起動させることができる。オンスクリーン表示メニューは、前記の電子番組ガイド（ＥＰＧ）および後述する他の機能を含んでもよい。
【００４６】
オンスクリーン表示（ＯＳＤ）メニューにおいて表示される情報を表すデータは、テキストまたはグラフィックスを表す記憶されているオンスクリーン表示情報、記憶されている番組ガイド情報、および／または、図５〜図７に示すと共に後述する例示の制御プログラムに従って前記の入力信号を介して受信される番組ガイドおよびテキスト／グラフィックス情報に応答して、システム・コントローラ１１５により生成される。ソフトウェア制御プログラムは、例えば、システム・コントローラ１１５の内蔵メモリ（図示せず）に記憶される。
【００４７】
リモート・コントロール装置１２５（または、マウスのような他の選択手段）を用いることにより、ユーザは、オンスクリーン表示（ＯＳＤ）メニューから、視聴する番組や、保存（例えば、記録）する番組や、記憶媒体の種類や、保存方法等の項目を選択することができる。システム・コントローラ１１５は、インタフェース１２０を介して供給された選択情報を用いて、記憶および表示のために番組を選択すると共に選択された記憶装置および媒体に適合する番組特定情報（ＰＳＩ）を生成するように、システム２５を設定する。システム・コントローラ１１５は、データ・バスを介して、制御レジスタ値をこれらの要素の範囲内において設定し、マルチプレクサ（ＭＵＸ）３７および１１０を介して、制御信号Ｃを用いて信号経路を選択することにより、システム２５の各部４５、４７、５０、５５、６５および９５を設定する。
【００４８】
制御信号Ｃに応答して、マルチプレクサ（ＭＵＸ）３７は、ユニット３５からのトランスポート・ストリーム、または、再生モードにおいては、記憶インタフェース９５を介して記憶装置９０から読み出されたデータ・ストリームを選択する。通常、非再生動作においては、ユーザが視聴のために選択した番組を含むデータ・パケットは、選択部４５においてそれらのパケット識別子（ＰＩＤ）により識別される。選択された番組パケットのヘッダ・データにおける暗号化（エンクリプション）インジケータが、そのパケットが暗号化されていることを示す場合には、選択部４５が、そのパケットを復号化ユニット（デクリプション部）５０に供給する。一方、選択部４５は、暗号化されていないパケットを、トランスポート・デコーダ５５に供給する。同様に、ユーザが記憶のために選択した番組を含むデータ・パケットは、選択部４７において、それらのパケット識別子により識別される。選択部４７は、パケット・ヘッダ暗号化インジケータ情報に基づいて、暗号化されたパケットを復号化ユニット５０に、または、暗号化されていないパケットをマルチプレクサ１１０に供給する。
【００４９】
復号化ユニット４０および５０の機能は、ＮＲＳＳ規格と互換性がある１つの取り外し可能なスマート・カードにおいて実行される。そのアプローチ法は、全てのセキュリティ関連の機能を取り外し可能な装置内に配置しており、その取り外し可能な装置は、サービス・プロバイダが、暗号化技術を変更したり、セキュリティ・システムを簡単に変更する、例えば、異なるサービスをデスクランブルすることができるようにしたりすることを決定した場合に、容易に置き換えることができる。
【００５０】
選択部４５および４７は、マルチプレクサ（ＭＵＸ）３７により供給された着信パケットのパケット識別子（ＰＩＤ）を、システム・コントローラ１１５により選択部４５および４７内のコントロール・レジスタに予めロードされたパケット識別子（ＰＩＤ）値に適合させるために、パケット識別子検出フィルタを使用している。予めロードされたパケット識別子は、記憶すべきデータ・パケットと、ビデオ画像を供給する際に使用するためにデコードすべきデータ・パケットとを識別するために、選択部４５および４７において用いられる。予めロードされたパケット識別子は、選択部４５および４７のルックアップ・テーブルに記憶される。パケット識別子ルックアップ・テーブルは、暗号化キー（鍵）を予めロードされた各パケット識別子に関連付ける選択部４５および４７において、メモリにマップされた暗号化キー・テーブルである。メモリにマップされたパケット識別子および暗号化キーのルックアップ・テーブルにより、選択部４５および４７は、予めロードされたパケット識別子を含む暗号化されたパケットを、それらを復号化することができる関連する暗号化キーに適合させることができる。暗号化されていないパケットは、関連する暗号化キーを有していない。選択部４５および４７は、識別されたパケットとそれらの関連する暗号化キーとの両方を、復号化ユニット５０に供給する。また、選択部４５のパケット識別子ルックアップ・テーブルは、予めロードされたパケット識別子を含むパケットを、パケット・バッファ６０における対応する転送先バッファの位置に適合させる転送先テーブルにメモリがマップされている。暗号化キーおよび転送先バッファ位置のアドレスは、視聴または記憶のためにユーザにより選択された番組に関連付けられており、それらのアドレスは、制御部１１５により割り当てられたパケット識別子と一緒に、選択部４５および４７に予めロードされる。暗号化キーは、ＩＳＯ７８１６−３準拠のスマート・カード・システム１３０により、入力データ・ストリームから抽出された暗号化コードから生成される。暗号化キーの生成は、入力データ・ストリームの中のコード化された情報、および／または、挿入可能なスマート・カード自体に予め記憶されているコード化された情報により決定される顧客向けの資格付与に従う（国際規格協会文書ＩＳＯ７８１６−３（１９８９年）は、スマート・カード・システムのためのインタフェースと信号構造を規定している）。
【００５１】
選択部４５および４７から復号化ユニット５０に供給されたパケットは、米国商務省の国立技術情報サービス部により提供された連邦情報規格（ＦＩＰＳ：Ｆｅｄｅｒａｌ  Ｉｎｆｏｒｍａｔｉｏｎ  Ｐｒｏｃｅｓｓｉｎｇ  Ｓｔａｎｄａｒｄｓ）広報４６、７４および８１において規定されているデータ暗号化規格（ＤＥＳ：Ｄａｔａ  Ｅｎｃｒｙｐｔｉｏｎ  Ｓｔａｎｄａｒｄ）等の暗号化技術を用いて暗号化される。復号化ユニット５０は、選択された暗号化アルゴリズムに対する適切な復号化技術を適用することにより、選択部４５および４７により供給された対応する暗号化キーを用いて暗号化されたパケットを復号化する。復号化ユニット５０からの復号化されたパケット、および、選択部４５からの暗号化されていないパケットであって、表示される番組を含んでいるものは、デコーダ５５に供給される。復号化ユニット５０からの復号化されたパケット、および、選択部４７からの暗号化されていないパケットであって、記憶のための番組を含んでいるものは、マルチプレクサ（ＭＵＸ）１１０に供給される。
【００５２】
パケット・バッファ６０は、システム・コントローラ１１５によりアクセス可能な４つのパケット・バッファを含んでいる。それらのバッファの内の１つは、システム・コントローラ１１５において用いることになるデータを保持するために割り当てられ、残りの３つのバッファは、アプリケーション装置７５、８０および８５において用いられることになるパケットを保持するために割り当てられている。システム・コントローラ１１５とアプリケーション・インタフェース７０との両方によるパケット・バッファ６０内の４つのバッファに記憶されたパケットへのアクセスは、バッファ制御部６５により制御される。デコード化のための選択部４５は、該選択部４５により識別された各パケットのための転送先フラグ（ｄｅｓｔｉｎａｔｉｏｎ  ｆｌａｇ）を、バッファ制御部６５に供給する。それらのフラグは、識別されたパケットのための転送先記憶位置を個々のパケット・バッファ６０に示しており、制御部６５により内部メモリ・テーブルに記憶される。制御部６５は、ファーストイン・ファーストアウト（ＦＩＦＯ：Ｆｉｒｓｔ−Ｉｎ−Ｆｉｒｓｔ−Ｏｕｔ、先入れ先出し）原理に基づいて、パケット・バッファ６０に記憶されているパケットに関連する一連の読出し（ｒｅａｄ）および書込み（ｗｒｉｔｅ）ポインタを判定する。書込みポインタは、転送先フラグと関連して、選択部４５または復号化ユニット５０からの識別されたパケットを、パケット・バッファ６０内の適切な転送先バッファにおける次の空の記憶位置に、順次記憶することを可能にする。読出しポインタは、システム・コントローラ１１５およびアプリケーション・インタフェース７０により、パケット・バッファ６０内の適切な転送先バッファからパケットが順次読出されることを可能にする。
【００５３】
選択部４５および復号化ユニット５０からデコーダ５５に供給された暗号化されていないパケットおよび復号化されたパケットは、ＭＰＥＧシステム規格のセクション２．４．３．２により規定されるトランスポート・ヘッダ（ｔｒａｎｓｐｏｒｔ  ｈｅａｄｅｒ）を含んでいる。デコーダ５５は、そのトランスポート・ヘッダから、暗号化されていないパケットおよび復号化されたパケットが、（ＭＰＥＧシステム規格ごとの）適応領域（ａｄａｐｔａｔｉｏｎ  ｆｉｅｌｄ：アダプテーション・フィールド）を含んでいるか否かを判定する。その適応領域は、例えば、コンテンツ・パケットの同期およびデコードを可能にするプログラム・クロック・リファレンス（基準）（ＰＣＲ：Ｐｒｏｇｒａｍ  Ｃｌｏｃｋ  Ｒｅｆｅｒｅｎｃｅ）を含むタイミング情報を含んでいる。適応領域を含むパケットであるタイミング情報パケット（ｔｉｍｉｎｇ  ｉｎｆｏｒｍａｔｉｏｎ  ｐａｃｋｅｔ）を検出すると、デコーダ５５は、システム割り込みを設定することにより割り込み機構を介して、パケットが既に受信されたシステム・コントローラ１１５に信号を送る。加えて、デコーダ５５は、バッファ制御部６５におけるタイミング・パケット転送先フラグを変更し、そのパケットをパケット・バッファ６０に供給する。バッファ制御部６５の転送先フラグを変更することにより、バッファ制御部６５は、デコーダ５５により供給されたタイミング情報パケットを、アプリケーション・バッファ記憶位置の替わりに、システム・コントローラ１１５が用いるためにデータを保持するように割り当てられた記憶位置に転送する。
【００５４】
デコーダ５５によりシステム割込み設定が受信されると直ぐに、システム・コントローラ１１５は、タイミング情報およびプログラム・クロック・リファレンス（ＰＣＲ）値を読み取って、それを内部メモリに記憶する。連続したタイミング情報パケットのプログラム・クロック・リファレンス値は、システム２５のマスター・クロック（２７ＭＨｚ）を調整するために、システム・コントローラ１１５により用いられる。システム・コントローラ１１５により生成されたプログラム・クロック・リファレンス（ＰＣＲ）ベースの推定値とマスター・クロック・ベースの推定値との連続タイミング・パケットの時間間隔の差は、システム２５のマスター・クロックを調整するために用いられる。システム・コントローラ１１５は、マスター・クロックを発生するために用いられる電圧制御発振器の入力制御電圧を調整するために、求められた時間推定差を適用することによりこれを行う。システム・コントローラ１１５は、内部メモリにタイミング情報を記憶した後で、前記システム割込みをリセットする。
【００５５】
選択部４５および復号化ユニット５０からデコーダ５５により受信された、音声、映像、字幕、およびその他の情報を含む番組内容を含むパケットは、バッファ制御部６５により、デコーダ５５から、パケット・バッファ６０内の、指定されたアプリケーション装置のバッファに向けられる。アプリケーション制御部７０は、音声、映像、字幕、およびその他のデータを、バッファ６０内の指定されたバッファから順に検索し、そのデータを、対応するアプリケーション装置７５、８０、および、８５に供給する。これらのアプリケーション装置は、音声デコーダ８０と、映像デコーダ８５と、高速データ・ポート７５とを含んでいる。例えば、先に述べたように、システム・コントローラ１１５により生成された複合番組ガイドに対応するパケット・データは、映像デコーダ８５に接続されたモニタ（図示せず）に表示するのに適した映像信号にフォーマット化する映像デコーダ８５に転送される。また、例えば、データ・ポート７５は、コンピュータ・プログラム等の高速データを、例えば、コンピュータに供給するために用いられる。或いは、ポート７５は、例えば、選択された番組または番組ガイドに対応する画像を表示するために、データを高精細度テレビジョン（ＨＤＴＶ）デコーダに出力するために用いられる。
【００５６】
番組特定情報（ＰＳＩ）情報を含むパケットは、パケット・バッファ６０内のシステム・コントローラ１１５用のバッファに入力されるものとして、選択部４５により識別される。番組特定情報パケットは、番組内容を含むパケットについて記載されているのと同様の方法により、バッファ制御部６５により選択部４５、復号化ユニット５０およびデコーダ５５を介して、そのバッファに送信される。システム・コントローラ１１５は、パケット・バッファ６０から番組特定情報を読み込み、それを内部メモリに記憶する。
【００５７】
また、システム・コントローラ１１５は、記憶済みの番組特定情報（ＰＳＩ）から圧縮された番組特定情報（ＣＰＳＩ：Ｃｏｎｄｅｎｓｅｄ  ＰＳＩ）を生成し、その圧縮された番組特定情報（ＣＰＳＩ）を、選択された記憶媒体に記憶するのに適したパケット化済みのデータ・ストリームに組み込む。パケットの識別子および送信方向は、先に述べたような方法により、システム・コントローラ１１５により、選択部４５および４７のパケット識別子（ＰＩＤ）と、送信先および暗号化キー・ルックアップ・テーブルと、制御部６５の機能とに関連付けて管理される。
【００５８】
加えて、システム・コントローラ１１５は、図１に示すインタフェース・ユニット１１１３と同様に動作する通信インタフェース・ユニット１１６に接続されている。即ち、通信インタフェース・ユニット１１６は、インターネットへ情報をアップロードしたり、インターネットから情報をダウンロードする機能を提供する。通信インタフェース・ユニット１１６は、例えば、インターネット・サービス・プロバイダに、例えば、電話線やケーブル・テレビジョン・ラインを介して接続するモデムを含んでいる。その通信機能により、図２に示すシステムが、テレビジョン番組の受信に加えて、電子メール機能、および、ウェブ（Ｗｅｂ）閲覧等のインターネット関連の機能を提供することが可能になる。
【００５９】
図３は、一般的には図２に示される、先に詳しく説明した電子装置を具体的に実現したものを示している。図３は、ディレクＴＶ（ＤＩＲＥＣＴＶ）を受信するための衛星受信機セットトップ・ボックス（ＳＴＢ）を表している。これは、米国インディアナ州インディアナポリスのトムソン・コンシューマー・エレクトロニクス（Ｔｈｏｍｓｏｎ  Ｃｏｎｓｕｍｅｒ  Ｅｌｅｃｔｒｏｎｉｃｓ）社により設計および製造されたものである。ヒューズ・エレクトロニクス（Ｈｕｇｈｅｓ  Ｅｌｅｃｔｒｏｎｉｃｓ）社により提供される衛星サービスについては、マニュアルを参照されたい。
【００６０】
図３に示すように、前記セットトップ・ボックスは、衛星アンテナ３１７から９５０〜１４５０ＭＨｚの範囲内の適当な衛星無線周波数（ＲＦ）信号を受信すると共に調整するチューナ３０１を有している。調整されたアナログ信号は、後続の処理のために、リンク・モジュール（ｌｉｎｋ  ｍｏｄｕｌｅ）３０２に出力される。リンク・モジュール３０２は、チューナ３０１からのアナログ同調信号Ｉ−ＯＵＴおよび信号Ｑ−ＯＵＴについて、アナログ信号のフィルタリングおよび調整と、アナログ信号からディジタル出力信号、即ち、データへの変換とを含む処理を更に行う。リンク・モジュール３０２は、集積回路（ＩＣ）として実現されている。リンク・モジュールＩＣは、グルノーブル（フランス）のＳＧＳ−トムソン・マイクロエレクトロニクス（ＳＧＳ−Ｔｈｏｍｓｏｎ  Ｍｉｃｒｏｅｌｅｃｔｒｏｎｉｃｓ）社製の部品番号ＳＴ１５３３９−６１０を有するＩＣである。
【００６１】
リンク・モジュール３０２からのディジタル出力、即ち、データは、トランスポート・ユニット３０３による識別および処理が可能なパケット化済みの対応データ・ストリームから構成される。図２に関して詳しく説明したように、データ・ストリームは、番組ガイド・データ情報と、ディレクＴＶからの衛星放送サービスの１つまたはそれ以上の番組チャンネルを含むデータ内容とを含んでいる。前記のように、番組ガイド・データは、例えば、「種別（ｃｌａｓｓ：クラス）」により示される番組の種類（音声のみ、映像のみ等）に関する情報を含んでいる。
【００６２】
トランスポート・ユニット３０３の機能は、先に説明した図２に示すトランスポート・システム２５と同様である。先に述べたように、トランスポート・ユニット３０３は、ヘッダ情報に含まれるパケット識別子（ＰＩＤ：Ｐａｃｋｅｔ  ＩＤｅｎｔｉｆｉｅｒ）に従って、パケット化済みのデータ・ストリームを処理する。そして、処理されたデータ・ストリームは、ＭＰＥＧ互換にフォーマット化され、音声および映像パケットに圧縮され、後続の処理のために、ＭＰＥＧデコーダ３０４に供給される。
【００６３】
トランスポート・ユニット３０３は、ＲＩＳＣベースのマイクロプロセッサの１つであるアドバンストＲＩＳＣマイクロプロセッサ（ＡＲＭ）３１５により制御されている。アドバンストＲＩＳＣマイクロプロセッサ（ＡＲＭ）３１５は、ＲＯＭ３０８に常駐しているソフトウェアの制御を実行する。ソフトウェアの典型的なコンポーネントは、例えば、図５および図６に示すように、ユーザ・インタフェース・コマンドを処理すると共に、後述するように、本発明の観点に係るオンスクリーン表示（ＯＳＤ）情報を表示するためのプログラムを制御することである。
【００６４】
トランスポート・ユニット３０３は、典型的には、集積回路（ＩＣ）として実現される。例えば、好ましい実施形態としては、ＳＧＳトムソン・マイクロエレクトロニクス（ＳＧＳ−Ｔｈｏｍｓｏｎ  Ｍｉｃｒｏｅｌｅｃｔｒｏｎｉｃｓ）社製の部品番号ＳＴ１５２７３−８１０または１５１０３−６５Ｃを有するＩＣが挙げられる。
【００６５】
ＭＰＥＧ互換性については、トランスポート・ユニット３０３からの圧縮済みの音声および映像パケットは、ＭＰＥＧデコーダ３０４に配信される。ＭＰＥＧデコーダは、トランスポート・ユニット３０３からの圧縮ＭＰＥＧデータ・ストリームをデコ―ドする。そして、デコーダ３０４は、ディジタル音声データをアナログ音声に変換するための音声ディジタル−アナログ変換器（ＤＡＣ）３０５により更に処理できるように、適切な音声データ・ストリームを出力する。また、デコーダ３０４は、画像ピクセル情報を表す適切なディジタル映像データも、ＮＴＳＣエンコーダ３０６に出力する。そして、ＮＴＳＣエンコーダ３０６が、更に、この映像データを、ＮＴＳＣ互換のアナログ映像信号に変換する処理を行うことにより、ビデオ画像が、通常のＮＴＳＣテレビジョン画面に表示される。先に述べたように、ＭＰＥＧデコーダは、集積回路（ＩＣ）として実現される。典型的な実施形態の１つとして、ＳＧＳトムソン・マイクロエレクトロニクス（ＳＧＳ−Ｔｈｏｍｓｏｎ  Ｍｉｃｒｏｅｌｅｃｔｒｏｎｉｃｓ）社製の部品番号ＳＴＩ３５２０を有するＭＰＥＧデコーダＩＣを用いてもよい。
【００６６】
オンスクリーン表示（ＯＳＤ）プロセッサ３２０は、ＭＰＥＧプロセッサ３０４に含まれている。ＯＳＤプロセッサ３２０は、記憶済みのオンスクリーン表示情報を含むＳＤＲＡＭ３１６からデータを読み込んでもよい。オンスクリーン表示情報は、ビットマップ・オンスクリーン表示グラフィックスまたはテキストの画像に対応している。オンスクリーン表示プロセッサは、アドバンストＲＩＳＣマイクロプロセッサ（ＡＲＭ）３１５の制御の下で、オンスクリーン表示画像の各々の画素の色および／または透光性を変化させることができる。
【００６７】
また、オンスクリーン表示（ＯＳＤ）プロセッサは、アドバンストＲＩＳＣマイクロプロセッサ（ＡＲＭ）３１５の制御の下で、番組ガイドを生成する。典型的な実施形態においては、ガイド表示を生成するためにユーザの要求を検出すると直ぐに、アドバンストＲＩＳＣマイクロプロセッサ（ＡＲＭ）３１５は、番組ガイド情報プロバイダによりデータ・ストリームから得られた番組ガイド・データ情報を処理し、そのガイド・データ情報を、グリッド・ガイドに対応するオンスクリーン表示ピクセル・データにフォーマット化する。そして、トランスポート・ユニット３０３からのオンスクリーン表示ピクセル・データは、ガイド画像を生成するために、ＭＰＥＧ音声／映像デコーダ３０４のＯＳＤプロセッサ３２０に転送される。
【００６８】
低速データ・ポート３３０は、番組を記録するビデオ・カセット・レコーダ（ＶＣＲ）を制御するための赤外線発信機（ＩＲブラスタ）（図示せず）に接続するために用いられる。先に述べたように、赤外線発信機（ＩＲブラスタ）は、基本的には、図３に示す衛星受信機により制御されるプログラム可能なビデオ・カセット・レコーダのリモート・コントロール・エミュレータである。それは、取り付けられたビデオ・カセット・レコーダのビデオ・カセット・レコーダ（ＶＣＲ）リモート・センサの前に配置されており、衛星受信機の制御の下で、ユーザにより入力されたタイマー・スクリーン情報に従って適当な時間に、「オン（ＯＮ）」および「記録（ＲＥＣＯＲＤ：録音、録画）」といったコマンド（命令）を送信する。
【００６９】
図３に示す追加関連機能ブロックは、例えば、インターネットにアクセスするための通信インタフェース１１６（図２参照）に相当するモデム３０７を含んでいる。条件付きアクセス・モジュール（ＣＡＭ：Ｃｏｎｄｉｔｉｏｎａｌ  Ａｃｃｅｓｓ  Ｍｏｄｕｌ）３０９は、条件付きアクセス情報を供給するＮＲＳＳ復号化ユニット１３０（図２）に相当する。広帯域データ・モジュール３１０は、高速データ・アクセスを、例えば、高精細度テレビジョン（ＨＤＴＶ）デコーダ・コンピュータに供給する高速データ・ポート７５（図２）に相当する。キーボードまたは赤外線（ＩＲ）受信モジュール３１２は、ユーザ制御部３１４からユーザ制御コマンドを受信するリモート装置インタフェース１２０（図２）に相当する。ディジタルＡＶバス・モジュール３１３は、ビデオ・カセット・レコーダ（ＶＣＲ）やＤＶＤプレーヤー等の外部装置に接続するＩ／Ｏポート１００（図２）に相当する。
【００７０】
図７は本発明に依る典型的な制御プログラムを示す高レベルのフロー・チャートであり、図１〜図３に示す何れの装置により実行してもよく、その他、電子ホスト装置について、適当にプログラムされた制御構成により実行してもよい。本明細書に於いて用いられる「電子ホスト装置（ｅｌｅｃｔｒｏｎｉｃ  ｈｏｓｔ  ｄｅｖｉｃｅ）」という用語は、テレビジョン受信機やパーソナル・コンピュータに限られるものではなく、テレビジョン受信機またはパーソナル・コンピュータに組み込まれているか、または、外部から接続されているかに関わらず、それらの複合機（例えば、ＰＣＴＶ）や、ケーブル・テレビジョン変換ボックスや、適当に装備された視聴覚番組レコーダ（例えば、ビデオ・カセット・レコーダ（ＶＣＲ））や、衛星テレビジョン、および／または、データ信号変換器、番組ガイド受信部等を包含してもよい。前記の典型的な制御プログラムにおいて実施される処理は、ハードウェアや、ソフトウェアや、または、それらの組み合わせにより実行されることはいうまでもない。図１〜図３に示すシステムの何れを用いてその制御プログラムを実行した場合や、他の適当にプログラムされた電子ホスト装置を用いてその制御プログラムを実行した場合においても、当業者であれば、フロー・チャートおよび以下の説明から、実質的に本発明と同様の特徴および効果が与えられることを直ちに認識するであろう。そのため、冗長にならないように、以下においては、図７の制御プログラムについては、図２に示す典型的なハードウェア実現例と、図５および図６に示すインタフェースとに関連することについてのみ説明する。
【００７１】
アプリケーション・インタフェース７０は、システム・コントローラ１１５の制御の下で、図５および図６に示すユーザ・インタフェースを生成することができる。好ましくは、図５および図６に示すユーザ・インタフェースは、起動（例えば、システム所有者がリモート・コントロール装置１２５の特定のキーを起動させたり、別のユーザ・インタフェースにおいて選択を行う）された特定のインタフェースに応答して生成される。このような起動に応答して、システム・コントローラ１１５は、ユーザ・インタフェース・データをアプリケーション・インタフェース７０に転送する。そして、アプリケーション・インタフェース７０は、表示モジュール１１（図４）上に表示を行う映像デコーダに、対応する表示情報を出力する。
【００７２】
システム・コントローラ１１５は、図７のステップ７００において、不揮発性メモリにおける値を有する領域を含むユーザ・プロファイルの記録を記憶する。ユーザ・プロファイルの記録を作成する方法、および、不揮発性メモリに記憶する方法の詳細については、図５を参照しながら説明したものと同様である。それ故、ここでは繰り返さない。
【００７３】
図６は、本発明において、予め作成されている編集すべきユーザ・プロファイルを選択するためのインタフェースを示している。表示モジュール１１は、ユーザ・インタフェース６００を有する表示領域１８を含んでいる。ユーザ・インタフェース６００は、ユーザ・プロファイル編集セル６０１〜６０６と、要約メニュー画面６０７と、ヘルプ・ボタン６０８と、後退（「戻る」）ボタン６０９とを含んでいる。各々のユーザ・プロファイル編集セル６０１〜６０６は、予め作成されてユーザ・プロファイルの名前を含んでいる。それらのユーザ・プロファイルは、保存されて、前記の不揮発性メモリに記録として記憶されている。ユーザ・プロファイル編集セル６０１〜６０６は、システム所有者により予め作成された全ての記憶済みのユーザ・プロファイルの記録のリストを効果的に形成する。図７に示すように、ステップ７１０において、記憶済みのユーザ・プロファイルの記録のリストを有するユーザ・インタフェースの提供が完了する。
【００７４】
システム・コントローラ１１５は、リモート・コントロール装置１２５を用いてユーザ・プロファイル編集セル６０１〜６０６の内の１つを強調表示させると直ぐに、強調表示されたセル６０１〜６０６に関連するユーザ・プロファイルの記録を、不揮発性メモリから取得するようにプログラムされている。即ち、図７に示すように、ステップ７２０において、不揮発性メモリから選択された記憶済みのユーザ・プロファイルの記録が取得される。不揮発性メモリから選択されたユーザ・プロファイルの記録を取得した後で、システム・コントローラ１１５は、選択されたユーザ・プロファイルの記録の領域に記憶されている、チャンネル・リスト、格付け制限、視聴時間、費用制限、名前、および、ユーザ・プロファイルのロック状態に関連する値を取得する。これにより、システム・コントローラ１１５は、図７に示すステップ７３０を完了する。
【００７５】
そして、図７に示すステップ７４０において、システム・コントローラ１１５は、要約メニュー画面６０７に読み出された値を要約形式で表示する。具体的には、それらの値は、要約メニュー画面６０７において、値が記憶されている領域に対応する見出しの隣に表示される。
【００７６】
システム所有者は、図６に示すユーザ・インタフェースを用いてセル６０１〜６０６を強調表示するだけで、定められたユーザ・プロファイル設定を閲覧することができ、それにより、ユーザ・プロファイル設定の要約が現れる。このように、システム所有者は、何れのユーザ・プロファイルのための設定を変更する必要があるかを、速やかに判断することができる。システム所有者は、図５に示すユーザ・インタフェース（および、画面における各々の設定）にアクセスする必要はない。従来のシステムにおいては、そのような判断を行うために、アクセスすることが必要とされていた。
【００７７】
以上においては、本発明が、ユーザ・プロファイルに対する親による管理設定の要約表示を提供するものとして説明したが、本発明は、親による管理値を要約して表示することに限られない。本発明は、何れの種類のユーザ・プロファイル値、および、それらの何れの組み合わせを表示し、要約するために用いられてもよい。例えば、本発明は、１つのユーザ・プロファイルについて定められる個人的な設定（例えば、使用されるデフォルトのガイドの識別子、ガイドをソートする方法、色設定、透光性設定、アニメーション設定、データの読出し設定、および、「ヘルプ」情報が使用可能かまたは不可能化か）を要約するために用いられてもよい。個人的な設定は、親による管理設定と同様に作成され、編集され、ソートされる。
【００７８】
更に、本発明において、要約メニューにおいて記憶済みのユーザ・プロファイルを要約するのは、定められたユーザ・プロファイルを編集するために用いられるユーザ・インタフェースに限られない。本発明は、予め作成されたユーザ・プロファイルのリストが存在する何れのユーザ・インタフェースにおいて実行されてもよい。以上においては、本発明に依る典型的な実施形態のみを開示して記載している。当業者は理解するであろうが、本発明は、その思想または主要な特徴から逸脱することなく、他の様々な形態で実施することができる。従って、本発明は、請求項に記載された発明の範囲において図示することにより開示されているが、それらに限定されるものではない。
【図面の簡単な説明】
【００７９】
【図１】本発明に依るユーザ・コマンドを処理すると共に、ユーザ・インタフェース画面を表示する装置を示す概略図である。
【図２】本発明に依るユーザ・コマンドを処理すると共にユーザ・インタフェース画面を表示するのに適したディジタル・ビデオ処理装置を示す概略図である。
【図３】図２示す装置における具体的な手段を示す概略図である。
【図４】図４は、編集すべき記憶済みのユーザ・プロファイルを選択するための従来のユーザ・インタフェースを備えた表示モジュールを示す図である。
【図５】記憶済みのユーザ・プロファイルを編集し、または、新規のユーザ・プロファイルを作成するためのユーザ・インタフェース備えた表示モジュールを示す図である。
【図６】本発明に依る編集すべき記憶済みのユーザ・プロファイルを選択するためのユーザ・インタフェースを備えた表示モジュールを示す図である。
【図７】要約形式により記憶済みのユーザ・プロファイルの設定を表示する方法を示すフロー・チャートである。
【図１】
2004529540.tif 000003
【図２】
2004529540.tif 000004
【図３】
2004529540.tif 000005
【図４】
2004529540.tif 000006
【図５】
2004529540.tif 000007
【図６】
2004529540.tif 000008
【図７】
2004529540.tif 000009
【国際公開パンフレット】
2004529540.tif 000010
2004529540.tif 000011
2004529540.tif 000012
2004529540.tif 000013
2004529540.tif 000014
2004529540.tif 000015
2004529540.tif 000016
2004529540.tif 000017
2004529540.tif 000018
2004529540.tif 000019
2004529540.tif 000020
2004529540.tif 000021
2004529540.tif 000022
2004529540.tif 000023
2004529540.tif 000024
2004529540.tif 000025
2004529540.tif 000026
2004529540.tif 000027
2004529540.tif 000028
2004529540.tif 000029
2004529540.tif 000030
2004529540.tif 000031
2004529540.tif 000032
2004529540.tif 000033
2004529540.tif 000034
2004529540.tif 000035
2004529540.tif 000036
2004529540.tif 000037
2004529540.tif 000038
2004529540.tif 000039
2004529540.tif 000040
2004529540.tif 000041
【国際公開パンフレット（コレクトバージョン）】
2004529540.tif 000042
2004529540.tif 000043
【国際調査報告】
2004529540.tif 000044
2004529540.tif 000045
2004529540.tif 000046